(57)【要約】【課題】  頭髪を挟持する挟持部を使用時に頭髪により隠すことができる、装飾性に優れた髪止め具を提供する。【解決手段】  使用時に頭皮側に配置される下側挟持部１５Ｄと、下側挟持部１５Ｄの上側に配置される上側挟持部１５Ｕとからなる一対の挟持部１５が、略Ｕ字状の折曲部１３により一端側を連結され、かつ互いに重なるように配置される髪止め本体１１を備える髪止め具Ｐ１。髪止め本体１１の長手方向の少なくとも一端側から立設される浮き上がり装飾部４０Ｍを備える。浮き上がり装飾部４０Ｍは、髪止め本体１１の側面側から見て、上側挟持部１５Ｕの上方に向かって張り出し、先端部４０Ｍａを上側挟持部１５Ｕから上方に離れて配置させる。【選択図】  図１
2018000385.tif 000002
【特許請求の範囲】
【請求項１】
使用時に頭皮側に配置される下側挟持部と、前記下側挟持部の上側に配置される上側挟持部とからなる一対の挟持部が、略Ｕ字状の折曲部により一端側を連結され、かつ互いに重なるように配置される髪止め本体を備える髪止め具であって、
前記髪止め本体の長手方向の少なくとも一端側から立設され、髪止め本体の側面側から見て、前記上側挟持部の上方に向かって張り出し、先端を前記上側挟持部から上方に離れて配置させる浮き上がり装飾部を備える
ことを特徴とする髪止め具。
【請求項２】
前記浮き上がり装飾部が、前記髪止め本体の前記折曲部側の端部付近から立設されることを特徴とする請求項１に記載の髪止め具。
【請求項３】
前記一対の挟持部が開く側である前記髪止め本体の先端部側において、前記上側挟持部の先端部側から反転されるように第二の前記浮き上がり装飾部が設けられることを特徴とする請求項２に記載の髪止め具。
【請求項４】
前記髪止め本体の前記折曲部側の端部付近に設けられる前記浮き上がり装飾部が、前記髪止め本体の前記先端部側に設けられる前記第二の浮き上がり装飾部よりも、前記髪止め本体の長手方向における、前記髪止め本体との連結部位から前記先端までの幅寸法を大きく設定されることを特徴とする請求項３に記載の髪止め具。
【発明の詳細な説明】
【技術分野】
【０００１】
本発明は、使用時に頭皮側に配置される下側挟持部と、下側挟持部の上側に配置される上側挟持部とからなる一対の挟持部が、略Ｕ字状の折曲部により一端側を連結され、かつ互いに重なるように配置されて頭髪を挟持するタイプの髪止め具に関する。
【背景技術】
【０００２】
従来、アメリカピン、あるいはアメピンと呼ばれるタイプの髪止め具ＡＰは、図８に示すように、使用時に頭皮側に配置される下側挟持部８０Ｄと、下側挟持部８０Ｄの上側に配置される上側挟持部８０Ｕとからなる一対の挟持部８０が、略Ｕ字状の折曲部９０により一端側を連結され、かつ互いに重なるように配置されて髪を挟持するものであった。この種の髪止め具ＡＰは、折曲部９０近傍の上面側に、接着等により装飾部１００が取り付けられることもあった。
【０００３】
しかしながら従来の髪止め具ＡＰでは、装飾部１００を備える場合にも、使用時に上側挟持部８０Ｕが外側から視認できる状態であるため、装飾性に乏しく、その点で改善の余地があった。
【発明の概要】
【発明が解決しようとする課題】
【０００４】
そこで本発明は、頭髪を挟持する挟持部を頭髪により隠すことができる、装飾性に優れた髪止め具を提供することを目的とする。
【課題を解決するための手段】
【０００５】
本発明に係る髪止め具は、使用時に頭皮側に配置される下側挟持部と、下側挟持部の上側に配置される上側挟持部とからなる一対の挟持部が、略Ｕ字状の折曲部により一端側を連結され、かつ互いに重なるように配置される髪止め本体を備える髪止め具であって、
髪止め本体の長手方向の少なくとも一端側から立設され、髪止め本体の側面側から見て、上側挟持部の上方に向かって張り出し、先端を上側挟持部から上方に離れて配置させる浮き上がり装飾部を備える
ことを特徴とする。
【０００６】
本発明の髪止め具では、髪止め本体の長手方向の一端側から立設される浮き上がり装飾部が、折曲部の略Ｕ字形状を臨む髪止め本体の側面側から見た場合に、上側挟持部の上方に向かって張り出し、先端を上側挟持部から上方に離れて配置させるように構成されるため、浮き上がり装飾部と上側挟持部との間に、浮き上がり装飾部の元部側を閉じられ、先端部側を開放させた空間（髪保留空隙部）が形成される。これによれば、使用時、従来のアメリカピンを着用する際と同様に、髪止め本体を、一対の挟持部の間に髪を挟持させて髪に留めた後、近傍の別の髪を、髪止め本体と直交するように浮き上がり装飾部と上側挟持部の間にできた髪保留空隙部に通して上側挟持部の上面に配置させれば、上側挟持部を外側から見えなくすることができ、浮き上がり装飾部のみが髪の上に浮かんだように見える態様となる。また、髪保留空隙部は、浮き上がり装飾部の元部側を閉じられているため、着用者が頭部を動かしても、浮き上がり装飾部と上側挟持部の間に配置された髪は、浮き上がり装飾部の内周面と、浮き上がり装飾部と髪止め本体との連結部位の内周面と、上側挟持部の上面と、から構成される髪保留空隙部の周縁部によって、上側挟持部の上面から離れるような移動を制限され、上側挟持部の上面に留め置かれる。このため、髪により上側挟持部が隠された状態と、浮き上がり装飾部が髪の上に浮かんだ状態とが維持される。
【０００７】
したがって、本発明に係る髪止め具は、挟持部を髪により隠すことができ、優れた装飾性を発揮する。
【０００８】
上述の浮き上がり装飾部は、髪止め本体の折曲部側の端部付近から立設されることが望ましい。髪止め具の使用者は通常、頭部の側面において、髪が前方に落ちてこないように、髪止め本体の折曲部が、挟持部が開く側である先端部よりも頭部の前方に配置されるようにして髪止め本体を髪に留めることが多いと考えられる。この時、浮き上がり装飾部が、髪止め本体の折曲部側に設けられていれば、上側挟持部の上面であって浮き上がり装飾部の下側に配置された髪が、浮き上がり装飾部の内周面と、浮き上がり装飾部と髪止め本体との連結部位の内周面と、上側挟持部の上面と、から構成される髪保留空隙部の周縁部によって、前方に移動するのを制限され、上側挟持部上に留め置かれるので、上側挟持部が隠れて浮き上がり装飾部が髪の上に浮かんだ態様が維持される。
【０００９】
上述の浮き上がり装飾部は、髪止め本体の長手方向の両端側に設けられることがさらに望ましい。すなわち、髪止め本体の折曲部側端部に加えて、一対の挟持部が開く側である髪止め本体の先端部側にも、第二の浮き上がり装飾部が、上側挟持部の先端部側から反転されるように設けられるとよい。
【００１０】
この構成では、上側挟持部の上面であって２つの浮き上がり装飾部の下側に髪が配置された際に、両端側の浮き上がり装飾部において、髪保留空隙部の周縁部により、上側挟持部の上面から離れるような髪の移動が制限されるため、頭部に対して如何なる向きで髪止め本体を留めたとしても、上側挟持部が隠された状態が持続し、また、髪止め本体の両端側に設けられた二つの浮き上がり装飾部が相互に離隔した状態で髪の上に浮かび上がるかのように髪が装飾されるため、高い装飾性が発揮される。
【００１１】
また、髪止め本体の長手方向における両端側に浮き上がり装飾部を設ける場合には、折曲部側に設けられる浮き上がり装飾部の、髪止め本体の長手方向における、髪止め本体との連結部から先端までの幅寸法を、先端部側に設けられる第二の浮き上がり装飾部のそれよりも、大きく設定することが望ましい。
【００１２】
この構成では、使用者が、頭部の側面において、髪が前方に落ちてこないように、髪止め本体の折曲部側が先端部側よりも頭部の前方に配置されるようにして髪止め本体を髪に留めた場合に、上側挟持部上に配置され、前方に移動しようとする髪を、髪止め本体との連結部から先端までの幅寸法をより大きく設定された折曲部側の浮き上がり装飾部により、浮き上がり装飾部と上側挟持部との間に確実に留め置き、上側挟持部を隠した状態を維持することができる。
【図面の簡単な説明】
【００１３】
【図１】実施形態の髪止め具の側面図である。
【図２】図１の髪止め具の斜視図である。
【図３】図１の髪止め具の使用時を示す図である。
【図４】本発明の別の実施形態の髪止め具を示す側面図である。
【図５】本発明の別の実施形態の髪止め具を示す平面図と側面図（括弧内）である。
【図６】本発明の別の実施形態の髪止め具を示す側面図である。
【図７】本発明の別の実施形態の髪止め具を示す平面図と側面図（括弧内）である。
【図８】従来の髪止め具を示す図である。
【発明を実施するための形態】
【００１４】
以下に本発明の望ましい実施形態を図面に基づいて説明する。
【００１５】
図１および２に示す本発明の一実施形態に係る髪止め具Ｐ１は、使用時に頭髪を挟持し、頭髪に対して位置決めされる部位である髪止め本体１１と、浮き上がり装飾部４０と、を備える。なお、図１におけるＵを上方、Ｄを下方として説明する。
【００１６】
髪止め本体１１は、金属製のばね線材を二つに折り曲げて形成されて頭髪を挟持する部位であり、使用時に頭皮側に配置される下側挟持部１５Ｄと、下側挟持部１５Ｄの上側に配置される上側挟持部１５Ｕとからなる一対の挟持部１５が、略Ｕ字状の折曲部１３により一端側を連結され、かつ互いに重なるように配置されて頭髪を挟持する構成のものである。髪止め本体１１は、上側挟持部１５Ｕと下側挟持部１５Ｄとを離す方向に力を加えた場合に、これに抗して、上側挟持部１５Ｕと下側挟持部１５Ｄとが閉じる方向へ生じるばね力を利用して頭髪を挟持し、挟持した頭髪の移動を制限する。
【００１７】
浮き上がり装飾部４０は、例えばリボン、ビーズ、貴石類等の任意の装飾が配置される部位であり、髪止め本体１１の長手方向の少なくとも一端側から立設され、折曲部１３の略Ｕ字形状を臨む髪止め本体１１の側面側から見た場合に、上側挟持部１５Ｕの上方に向かって張り出すように設けられる部位である。実施形態の髪止め具Ｐ１では、髪止め本体１１における長手方向の両端側、すなわち折曲部１３側の端部１１ｂ側と、一対の挟持部１５Ｕと１５Ｄとが開く側である先端部１１ａ側とに、二つの浮き上がり装飾部４０（第一浮き上がり装飾部４０Ｍと第二浮き上がり装飾部４０Ｓ）が設けられている。
【００１８】
髪止め本体１１における折曲部１３側の端部１１ｂ付近に設けられる第一浮き上がり装飾部４０Ｍは、折曲部１３の上面側から立設されるもので、折曲部１３の略Ｕ字形状を臨む髪止め本体１１の側面側から見た場合に、わずかに円弧を描きつつ、上側挟持部１５Ｕと略平行な庇状に、言い換えれば片持ち梁状に張り出すように形成される。本実施形態における第一浮き上がり装飾部４０Ｍは、髪止め本体１１の長手方向の寸法の１／２より若干短い長さに形成され、図２に示すように、上側挟持部１５Ｕの真上に張り出すように形成される。第一浮き上がり装飾部４０Ｍは、先端部４０Ｍａを、上側挟持部１５Ｕから上方に離れて配置させている。このため、折曲部１３の略Ｕ字形状を臨む髪止め本体１１の側面側から見た場合に、第一浮き上がり装飾部４０Ｍと上側挟持部１５Ｕとの間には、第一浮き上がり装飾部４０Ｍの元部４０Ｍｂ側（すなわち、折曲部１３側）を閉じられ、先端部４０Ｍａ側を開放させた空間２０が形成される。この空間２０は、使用時に上側挟持部１５Ｕを外側から見えなくするために、一対の挟持部１５により挟持されたのとは別の髪Ｈを配置させる髪保留空隙部２０の役割をする。また、実施形態の第一浮き上がり装飾部４０Ｍは、髪止め本体１１の長手方向における、髪止め本体１１との連結部位３３から先端部４０Ｍａまでの幅寸法Ｌ１を、後述する第二浮き上がり装飾部４０Ｓの対応する幅寸法Ｌ２よりも大きく設定されている。
【００１９】
実施形態の第一浮き上がり装飾部４０Ｍは、折曲部１３の上面から立設される基台梁部４３と、基台梁部４３に結合される装飾部４５と、を備える。基台梁部４３は、装飾部４５を支持するもので、髪止め本体１１を構成する線材と略同一の幅寸法を有する短尺の金属製の線材からなり、折曲部１３の上面においてロウ付け等により髪止め本体１１に連結されている。本実施形態の装飾部４５は、貴石類（図符号省略）が、金属製の枠体（図符号省略）に嵌め込まれて構成され、基台梁部４３にロウ付け等により連結されたものとしている。装飾部４５は、実施形態にて例示される貴石類の他、リボンやビーズ等、あらゆる装飾品から構成されうることは言うまでもない。
【００２０】
髪止め本体１１における先端部１１ａ側（すなわち、挟持部１５が開く側）に設けられる第二浮き上がり装飾部４０Ｓは、実施形態では、髪止め本体１１の上側挟持部１５Ｕの先端部１５Ｕａから反転される態様で立設されるもので、上述の第一浮き上がり装飾部４０Ｍと同様に、折曲部１３の略Ｕ字形状を臨む髪止め本体１１の側面側から見た場合に、わずかに円弧を描きつつ、上側挟持部１５Ｕの上方に向かって、上側挟持部１５Ｕと略平行な庇状あるいは片持ち梁状に張り出すように形成される。第二浮き上がり装飾部４０Ｓも、上述の第一浮き上がり装飾部４０Ｍと同様、図２に示すように、上側挟持部１５Ｕの真上に張り出すように形成される。上述したように、実施形態の第二浮き上がり装飾部４０Ｓでは、髪止め本体１１の長手方向における、髪止め本体１１との連結部位３３から先端部４０Ｓａまでの幅寸法Ｌ２を、第一浮き上がり装飾部４０Ｍの対応する幅寸法Ｌ１よりも小さく形成される。なお、第二浮き上がり装飾部４０Ｓと、第一浮き上がり装飾部４０Ｍとは、先端部４０Ｓａと４０Ｍａとを離隔させた状態で設けられる。第二浮き上がり装飾部４０Ｓも、第一浮き上がり装飾部４０Ｍと同様に、先端部４０Ｓａを上側挟持部１５Ｕから上方に離れて配置させている。このため、折曲部１３の略Ｕ字形状を臨む髪止め本体１１の側面側から見た場合に、第二浮き上がり装飾部４０Ｓと上側挟持部１５Ｕとの間に、第二浮き上がり装飾部４０Ｓの元部４０Ｓｂ側を閉じられ、先端部４０Ｓａ側を開放させた空間２２が形成される。この空間２２も、使用時に上側挟持部１５Ｕを見えなくするために髪を配置させる髪保留空隙部２２の役割をする。なお、第二浮き上がり装飾部４０Ｓも第一浮き上がり装飾部４０Ｍと同様、上側挟持部１５Ｕの先端部にロウ付け等により連結される基台梁部４３と、基台梁部４３に結合される、枠体（図符号省略）と該枠体に嵌め込まれる貴石類とからなる装飾部４５と、から構成されている。
【００２１】
以上のように構成された髪止め具Ｐ１を使用する際の作用について以下に説明する。まず、従来のアメリカピンを着用する際と同様に、髪止め具Ｐ１を、挟持部１５Ｕと１５Ｄが開く側である髪止め本体１１の先端部１１ａ側において、挟持部１５Ｕと１５Ｄを相互に離すようにして指で把持し、頭部の所望の位置において下側挟持部１５Ｄで髪をすくうようにして一対の挟持部１５Ｕと１５Ｄとの間の隙間に髪を入れ込み、指を離せば、髪が挟持部１５Ｕと１５Ｄとの間に挟持されて、髪止め具Ｐ１が髪に対して位置決めされる。その後、近傍の別の髪Ｈを、図２のニ点鎖線で示すように、髪止め本体１１と直交するように上側挟持部１５Ｕと第一浮き上がり装飾部４０Ｍとの間の髪保留空隙部２０と、上側挟持部１５Ｕと第二浮き上がり装飾部４０Ｓとの間の髪保留空隙部２２と、に通して上側挟持部１５Ｕの上面に配置させれば、図３に示すように上側挟持部１５Ｕを外側から見えなくし、第一浮き上がり装飾部４０Ｍ及び第二浮き上がり装飾部４０Ｓのみが髪の上に浮かんだように見える態様とすることができるので、髪止め具Ｐ１は優れた装飾性を発揮する。また、髪保留空隙部２０は、第一浮き上がり装飾部４０Ｍの元部４０Ｍｂ側を閉じられているため、着用者が種々の方向に頭部を動かしても、髪保留空隙部２０内に配置された髪Ｈは、浮き上がり装飾部４０Ｍの内周面と、浮き上がり装飾部４０Ｍと髪止め本体１１との連結部位３３の内周面と、上側挟持部１５Ｕの上面によって構成される髪保留空隙部２０の周縁部２０ａにより、上側挟持部１５Ｕの上面から離れるような移動を制限され、上側挟持部１５Ｕの上面に留め置かれる。このため、髪Ｈにより上側挟持部１５Ｕが隠された状態と、第一浮き上がり装飾部４０Ｍが髪の上に浮かんだ状態とは維持される。同様に、髪保留空隙部２２も、第二浮き上がり装飾部４０Ｓの元部４０Ｓｂ側を閉じられているため、着用者が頭部を動かしても、髪保留空隙部内２２に配置された髪Ｈは、浮き上がり装飾部４０Ｓの内周面と、浮き上がり装飾部４０Ｓと髪止め本体１１との連結部位３３の内周面と、上側挟持部１５Ｕの上面によって構成される髪保留空隙部２２の周縁部２２ａにより、上側挟持部１５Ｕの上面から離れるような移動を制限されて上側挟持部１５Ｕの上面に留め置かれるので、上側挟持部１５Ｕが隠された状態が維持される。このように、髪止め具Ｐ１は、高い装飾性を発揮する。
【００２２】
実施形態では、髪止め本体１１の長手方向における折曲部１３側の端部１１ｂと、先端部１１ａ側との両端側に、第一浮き上がり装飾部４０Ｍと第二浮き上がり装飾部４０Ｓとが設けられる場合を示したが、浮き上がり装飾部は、髪止め本体１１の長手方向における少なくとも一端側に設けられればよい。
【００２３】
例えば、図４に示す髪止め具Ｐ２のように、髪止め本体１１の長手方向における折曲部１３側の端部１１ｂ側のみに浮き上がり装飾部４０Ｍが設けられた場合では、使用者は通常、髪が前方に落ちてこないように、挟持部１５が開く側である髪止め本体１１の先端１１ａ側において一対の挟持部１５を相互に離すようにして髪止め本体１１を把持し、頭部の側面において、前方側から後方側に向かって、開いた上側挟持部１５Ｕと下側挟持部１５Ｄとの間に髪を挟むようにして着用することが多いと考えられるため、髪止め本体１１の折曲部１３側端部１１ｂが、先端部１１ａよりも頭部の前方に配置される。すなわち、浮き上がり装飾部４０Ｍは、髪保留空隙部２０を、閉じられた装飾部４０Ｍの元部４０Ｍｂ側を前方に配置させ、後方を開放させた状態で配置される。このため、上側挟持部１５Ｕの上面に配置されて前方に移動しようとする髪Ｈが、浮き上がり装飾部４０Ｍの内周面と、浮き上がり装飾部４０Ｍと髪止め本体１１との連結部位３３の内周面と、上側挟持部１５Ｕの上面によって構成される髪保留空隙部２０の周縁部２０ａにより移動を制限され、上側挟持部１５Ｕ上に留め置かれるので、上側挟持部１５Ｕが隠れて浮き上がり装飾部４０Ｍが髪の上に浮かんだ態様が維持され、髪止めＰ２は、高い装飾性を発揮することができる。
【００２４】
また、髪止め本体１１の先端部１１ａ側のみに浮き上がり装飾部４０Ｓが設けられた場合でも、浮き上がり装飾部４０Ｓの元部４０Ｓｂ側が、頭部における髪が移動しやすい方向（例えば、前方や下方）に配置されるように髪止め本体１１を髪に対して配置させれば、上側挟持部１５Ｕの上面に配置された髪Ｈが、髪保留空隙部２２の周縁部２２ａによって移動を制限されて上側挟持部１５Ｕの上面に留め置かれ、上側挟持部１５Ｕが隠された状態と、浮き上がり装飾部４０Ｓが髪の上に浮かんだ状態とを維持することができる。
【００２５】
しかしながら、上述した髪止め具Ｐ１のように、髪止め本体１１の長手方向における折曲部１３側の端部１１ｂと、先端部１１ａ側との両端側に、第一浮き上がり装飾部４０Ｍと第二浮き上がり装飾部４０Ｓとを設ける構成とすれば、上側挟持部１５Ｕ上に髪が配置された際に、髪保留空隙部２０の周縁部２０ａと髪保留空隙部２２の周縁部２２ａとにより、上側挟持部１５Ｕの上面から離れるような髪Ｈの移動が制限されるため、頭部に対して如何なる向きに髪止め本体１１を留めたとしても、持続的に上側挟持部１５Ｕが隠され、また、第一浮き上がり装飾部４０Ｍと第二浮き上がり装飾部４０Ｓとが相互に離隔した状態で髪の上に浮かび上がるかのように髪が装飾されるため、髪止めＰ１は、高い装飾性を発揮する。
【００２６】
また、実施形態の髪止め具Ｐ１では、髪止め本体１１の折曲部１３側の端部１１ｂ側に設けられる第一浮き上がり装飾部４０Ｍが、髪止め本体１１の長手方向における、髪止め本体１１との連結部位３３から先端部４０Ｍａまでの幅寸法Ｌ１を、髪止め本体１１の先端部１１ａ側に設けられる第二浮き上がり装飾部４０Ｓの対応する幅寸法Ｌ２よりも、大きく設定されている。この構成では、使用者が、頭部の側面において、髪が前方に落ちてこないように、髪止め本体１１の折曲部１３側の端部１１ｂが先端部１１ａよりも頭部の前方に配置されるようにして髪止め本体１１を髪に留めた場合に、上側挟持部１５Ｕ上に配置され、前方に移動しようとする髪Ｈを、髪止め本体１１との連結部位３３から先端４０Ｍａまでの幅寸法Ｌ１をより大きく設定された折曲部１３側の第一浮き上がり装飾部４０Ｍにより、第一浮き上がり装飾部４０Ｍと上側挟持部１５Ｕとの間に確実に留め置き、上側挟持部１５Ｕを隠した状態を維持することができる。
【００２７】
上述した髪止め具Ｐ１においては、第一浮き上がり装飾部４０Ｍ及び第二浮き上がり装飾部４０Ｓは、髪止め本体１１の折曲部１３側端部１１ｂと上側挟持部１５Ｕの先端１５Ｕａ側とから、上側挟持部１５Ｕの真上に張り出すように設けられるものとしたが、浮き上がり装飾部の構成はこれに限らず、折曲部１３の略Ｕ字形状を臨む髪止め本体１１の側面側から見た場合に、上側挟持部１５Ｕの上方に向かって張り出し、先端４０Ｍａ／４０Ｓａを上側挟持部１５Ｕから上方に離れて配置させるように構成されていれば、様々な形状を採りうる。
【００２８】
例えば、図５に示す髪止め具Ｐ３のように、髪止め本体１１における折曲部１３側端部１１ｂ及び／または上側挟持部１５Ｕの先端１５Ｕａ側から立設される浮き上がり装飾部４０ＭＡ及び／または浮き上がり装飾部４０ＳＡが、平面視において、髪止め本体１１の幅方向に大きくはみ出すように設けられるものや、図６に示す髪止め具Ｐ４のように、髪止め本体１１における折曲部１３側端部１１ｂ及び／または上側挟持部１５Ｕの先端１５Ｕａ側から立設される浮き上がり装飾部４０ＭＢ及び／または浮き上がり装飾部４０ＳＢが、髪止め本体１１の側面側から見た場合に、上側挟持部１５Ｕの上方に向かって張り出すと同時に、髪止め本体１１の長手方向の幅を超えた外側に突出するように形成される場合も、上側挟持部１５Ｕと浮き上がり装飾部４０ＭＡ／４０ＭＢ及び／または浮き上がり装飾部４０ＳＡ／４０ＳＢの間に配置された髪Ｈが、髪保留空隙部２０の周縁部２０ａ及び／または髪保留空隙部２２の周縁部２２ａにより、上側挟持部１５Ｕの上面から離れるような移動を制限されて上側挟持部１５Ｕ上に髪Ｈが留め置かれるので、上側挟持部１５Ｕが隠れた状態が維持される。
【００２９】
また、図７に示す髪止め具Ｐ５では、第一浮き上がり装飾部４０ＭＣが、ごく細い線材５０を中央部５０ｃでＵ字状に折曲されて、中央部５０ｃ近傍において髪止め本体１１の略Ｕ字状の折曲部１３の内周面に、ロウ付け等の手段により連結されて形成される。第一浮き上がり装飾部４０ＭＣの中央部５０ｃから延びる一端側部５０ａは、髪止め本体１１の側面から見て髪止め本体１１と略重なるように延びて上側挟持部１５Ｕの先端部１５Ｕａの上面に連結される。他端側部５０ｂは、髪止め本体１１の折曲部１３側端部１１ｂから上側挟持部１５Ｕの上方に向かって立ち上がり、平面視においては髪止め本体１１と交差するように延びて、髪止め本体１１の側面から見て、髪止め本体１１の先端部１１ａ側に設けられる第二浮き上がり装飾部４０Ｓと重なる程度の長尺に形成される。使用時には、髪Ｈは、上側挟持部１５Ｕと第一浮き上がり装飾部４０ＭＣの一端側部５０ａとの上面であって第一浮き上がり装飾部４０ＭＣの他端側部５０ｂと第二浮き上がり装飾部４０Ｓの下側に配置される。この構成では、髪Ｈは、髪止め本体１１の長手方向の略全域に亘って、上側挟持部１５Ｕの上面から離れるような移動が制限されることになり、より確実に上側挟持部１５Ｕが隠れた状態が維持される。
【００３０】
また、本実施形態の髪止め具Ｐ１，Ｐ２では、髪止め本体１１、浮き上がり装飾部４０Ｍ及び４０Ｓの基台梁部４３と装飾部４５の枠体とが金属製であって、浮き上がり装飾部４０Ｍ及び４０Ｓが髪止め本体１１にロウ付けにより連結されるものを例示したが、髪止め具の材料はこれに限られるものではなく、例えば、髪止め本体と浮き上がり装飾部とを合成樹脂等により一体的に成形してもよい。
【００３１】
また、本実施形態の髪止め具Ｐ１，Ｐ２，Ｐ３，Ｐ４，Ｐ５では、髪止め本体１１における上側挟持部１５Ｕが、使用時に頭皮側に配置される下側挟持部１５Ｄより長さを短く形成されるものとして示したが、髪止め本体１１の構成はこれに限らず、頭皮側に配置される下側挟持部１５Ｄが、上側挟持部１５Ｕより短く設定されてもよい。
【符号の説明】
【００３２】
１１  ・・・  髪止め本体
１１ａ  ・・・  一端側（先端部）
１１ｂ  ・・・  一端側（折曲部側）
１３  ・・・  折曲部
１５  ・・・  挟持部
１５Ｕ  ・・・  上側挟持部
１５Ｄ  ・・・  下側挟持部
１５Ｕａ  ・・・  先端部
３３  ・・・  連結部位
４０，４０Ｍ，４０Ｓ，４０ＭＡ，４０ＭＢ，４０ＳＡ，４０ＳＢ，４０ＭＣ  ・・・  浮き上がり装飾部
４０Ｍａ，４０Ｓａ  ・・・  先端
Ｐ１，Ｐ２，Ｐ３，Ｐ４，Ｐ５  ・・・  髪止め具
【図１】
2018000385.tif 000003
【図２】
2018000385.tif 000004
【図３】
2018000385.tif 000005
【図４】
2018000385.tif 000006
【図５】
2018000385.tif 000007
【図６】
2018000385.tif 000008
【図７】
2018000385.tif 000009
【図８】
2018000385.tif 000010